(57)【要約】【課題】本発明は太陽光発電を基礎とした環境保護型貯蔵箱を開示した。【解決手段】台座を含み、前記台座の中には上方に開口した貯蔵チャンバが設けられ、前記台座の外側には頂蓋を取り付けることができ、前記頂蓋の中には下方に開口した空きチャンバが設けられ、前記頂蓋の左右端壁の中にはソーラーパネルが対称的に設けられ、前記ソーラーパネルの上方には半円蓋板が設けられ、前記半円蓋板と前記頂蓋との間にはヒンジ軸がヒンジによって連結され、前記ソーラーパネルの外側端壁には太陽光蓋板機構が設けられ、前記太陽光蓋板機構が前記半円蓋板を押し開けることにより、前記ソーラーパネルが光を受けて発電でき、前記空きチャンバの頂壁には下方に伸びた第一回転軸が回転できるように設けられ、前記第一回転軸の底端には円盤が固定的に設けられ、前記円盤と前記空きチャンバの頂壁との間にはトーションバネが連結されている。【選択図】図１
2020204450.tif 000002
【特許請求の範囲】
【請求項１】
正面視で、台座を含み、前記台座の中には上方に開口した貯蔵チャンバが設けられ、前記台座の外側には頂蓋を取り付けることができ、前記頂蓋の中には下方に開口した空きチャンバが設けられ、
前記頂蓋の左右端壁の中にはソーラーパネルが対称的に設けられ、前記ソーラーパネルの上方には半円蓋板が設けられ、前記半円蓋板と前記頂蓋との間にはヒンジ軸がヒンジによって連結され、前記ソーラーパネルの外側端壁には太陽光蓋板機構が設けられ、前記太陽光蓋板機構が前記半円蓋板を押し開けることにより、前記ソーラーパネルが光を受けて発電でき、
前記空きチャンバの頂壁には下方に伸びた第一回転軸が回転できるように設けられ、前記第一回転軸の底端には円盤が固定的に設けられ、前記円盤と前記空きチャンバの頂壁との間にはトーションバネが連結され、
前記円盤と前記貯蔵チャンバとの間には冷却液循環を行うことによって貯蔵された物を冷却し鮮度を保持する冷却循環部品が設けられ、前記円盤の中には前記ソーラーパネルと通電できるように連結されたマイクロ水ポンプが設けられ、前記マイクロ水ポンプの右側端壁には前記ソーラーパネルと通電できるように連結された冷却モジュールが固定的に設けられ、前記冷却モジュールの中には前記マイクロ水ポンプを連通した第一毛細管が設けられ、前記マイクロ水ポンプが冷却液を吸い取って前記第一毛細管の中に送り、前記冷却モジュールが前記第一毛細管の中の冷却液を冷却し、且つ冷却液を循環させ、
前記貯蔵チャンバの外側端壁には外方に開口した環状凹溝が設けられ、前記環状凹溝と前記円盤との間にはノブ機構が設けられ、前記ノブ機構は冷却循環部品を始動することによって冷却液を循環させることができ、
前記第一毛細管の底壁には気体チャンバが設けられ、前記気体チャンバの中には毛細管の中に残された冷却液を押し出すことができる排水機構が設けられ、前記気体チャンバが前記第一毛細管を連通しており、且つ前記気体チャンバと前記第一毛細管とには排気孔が連通するように設けられ、前記排気孔の中には第一逆止弁が設けられ、前記頂蓋を前記台座の中から抜き出す時、空気が前記第一逆止弁と前記排気孔とを経由して前記第一毛細管の中に押され、前記第一毛細管の中に残された冷却液が排出され、
前記排水機構の前後端壁の間にはバランス機構が設けられていることを特徴とする太陽光発電を基礎とした環境保護型貯蔵箱。
【請求項２】
前記太陽光蓋板機構は前記頂蓋を含み、前記頂蓋の左右端壁の中には内に開口した凹溝が設けられ、前記凹溝の頂壁には上下に貫通した第一スライド孔が設けられ、前記第一スライド孔の中には前記半円蓋板を押すことができる斜面スライドロッドがスライドできるように設けられ、前記半円蓋板と前記頂蓋の頂面との間には第一バネが連結され、前記第一スライド孔の外側端壁には第二スライド孔が連通するように設けられ、前記第二スライド孔の中には前記斜面スライドロッドと固定的に連結された第一スライドブロックがスライドできるように設けられ、前記第一スライドブロックと前記第二スライド孔の頂壁との間には第二バネが連結されていることを特徴とする請求項１に記載の太陽光発電を基礎とした環境保護型貯蔵箱。
【請求項３】
前記冷却循環部品は前記マイクロ水ポンプを含み、前記マイクロ水ポンプの底壁には下方に開口した第一挿し口が連通するように設けられ、前記第一毛細管の右端壁には下方に開口した第二挿し口が連通するように設けられ、前記貯蔵チャンバの底壁には熱伝導金属が固定的に設けられ、前記熱伝導金属の左右端壁には上方に開口した水チャンバが固定的に設けられ、二つの前記水チャンバの間には第二毛細管が連通するように設けられ、前記水チャンバの中には導管を取り付けることができ、前記熱伝導金属の左側の前記導管を前記第一挿し口の中に挿すことができ、前記熱伝導金属の右側の前記導管を前記第二挿し口の中に挿すことができることを特徴とする請求項１に記載の太陽光発電を基礎とした環境保護型貯蔵箱。
【請求項４】
前記水チャンバの前後端壁にはスライド溝が連通するように設けられ、前記スライド溝の中には仕切り板がスライドできるように設けられ、前記仕切り板と前記スライド溝の外側端壁との間には第三バネが連結されていることを特徴とする請求項１または請求項３に記載の太陽光発電を基礎とした環境保護型貯蔵箱。
【請求項５】
前記ノブ機構は前記環状凹溝を含み、前記環状凹溝の中には第二スライドブロックが左右に対称的にスライドできるように設けられ、前記第二スライドブロックの中には外方に開口した第三スライド孔が設けられ、前記第三スライド孔の中には前記凹溝の中に伸びることができるバックルはスライドできるように設けられ、前記バックルと前記第三スライド孔の内側端壁との間には第四バネが連結され、前記円盤の左端面には前記マイクロ水ポンプと通電できるように連結されたスイッチが固定的に設けられ、前記空きチャンバの後側端壁には前記スイッチを押すことができる押しブロックが固定的に設けられていることを特徴とする請求項１に記載の太陽光発電を基礎とした環境保護型貯蔵箱。
【請求項６】
前記排水機構はピストンを含み、前記ピストンと前記気体チャンバの頂壁との間には第五バネが連結され、前記気体チャンバの後端壁には上方に開口した吸気管が連通するように設けられ、前記吸気管の中には第二逆止弁が固定的に設けられていることを特徴とする請求項１に記載の太陽光発電を基礎とした環境保護型貯蔵箱。
【請求項７】
前記気体チャンバの前端壁には下方に開口した第四スライド孔が設けられ、前記第四スライド孔と前記空気チャンバとの間には第二回転軸が回転できるように設けられ、前記第四スライド孔の中の前記第二回転軸には歯車が固定的に設けられ、前記第四スライド孔の中には前記歯車と噛合したラックがスライドできるように設けられ、前記ラックと前記第四スライド孔の頂壁との間には第六バネが連結され、前記気体チャンバの中の前記第二回転軸の中には後方に開口した抜き穴が設けられていることを特徴とする請求項１に記載の太陽光発電を基礎とした環境保護型貯蔵箱。
【請求項８】
前記気体チャンバの後側端壁の中には下方に開口した第五スライド孔が設けられ、前記第五スライド孔の中にはスライドロッドがスライドできるように設けられ、前記スライドロッドと前記第五スライド孔の頂壁との間には第七バネが連結され、前記気体チャンバと前記第五スライド孔との間には第三回転軸が回転できるように設けられ、前記気体チャンバの中の前記第三回転軸には前記ピストンと当接したカムが固定的に設けられ、前記第三回転軸の中には左右に貫通した第六スライド孔が設けられ、前記第六スライド孔の中には前記抜き穴に伸びることができる位置制限ロッドがスライドできるように設けられ、前記位置制限ロッドと前記スライドロッドとの間には液圧液が伝動できるように設けられていることを特徴とする請求項１または請求項７に記載の太陽光発電を基礎とした環境保護型貯蔵箱。
【発明の詳細な説明】
【技術分野】
【０００１】
本発明は冷蔵鮮度保持分野を取り上げて、具体的には太陽光発電を基礎とした環境保護型貯蔵箱である。
【背景技術】
【０００２】
人々の生活水準の向上と飲食の質の飛躍とにつれ、キャンプなどのエンターテイメント活動の中で、人々はだんだん自分で新鮮な食物を持ってきて料理するようになり、このような時貯蔵箱で食物を冷蔵し鮮度を保持する必要があり、
短距離野外炊事であれば、軽便な自転車や電動バイクを使うことが多いが、伝統的な貯蔵箱は食物を冷蔵する時に他に電源が必要とされ、電源が重くて占めた空間も大きく、出掛ける時に非常に不便であり、
その他、伝統的な貯蔵箱の中の冷水循環用のパイプは密封のパイプが多く、冷却液を取り替えることができなく、また、時間が長く経つと、冷却モジュールの中に残された冷却液が粘着し塞ぎを起こしやすく、使用寿命が短くなり、
従って、太陽光発電を基礎とした環境保護型貯蔵箱を設計し以上の問題を解決する必要がある。
【先行技術文献】
【特許文献】
【０００３】
【特許文献１】中国特許出願公開第１０８２０４６９９号明細書
【発明の概要】
【発明が解決しようとする課題】
【０００４】
本発明の目的は太陽光発電を基礎とした環境保護型貯蔵箱を提供し、それは上記の現在の技術中の問題を解決できる。
【課題を解決するための手段】
【０００５】
本発明は以下の技術プランを通じて実現する。
【０００６】
台座を含み、前記台座の中には上方に開口した貯蔵チャンバが設けられ、前記台座の外側には頂蓋を取り付けることができ、前記頂蓋の中には下方に開口した空きチャンバが設けられ、
前記頂蓋の左右端壁の中にはソーラーパネルが対称的に設けられ、前記ソーラーパネルの上方には半円蓋板が設けられ、前記半円蓋板と前記頂蓋との間にはヒンジ軸がヒンジによって連結され、前記ソーラーパネルの外側端壁には太陽光蓋板機構が設けられ、前記太陽光蓋板機構が前記半円蓋板を押し開けることにより、前記ソーラーパネルが光を受けて発電でき、
前記空きチャンバの頂壁には下方に伸びた第一回転軸が回転できるように設けられ、前記第一回転軸の底端には円盤が固定的に設けられ、前記円盤と前記空きチャンバの頂壁との間にはトーションバネが連結され、
前記円盤と前記貯蔵チャンバとの間には冷却液循環を行うことによって貯蔵された物を冷却し鮮度を保持する冷却循環部品が設けられ、前記円盤の中には前記ソーラーパネルと通電できるように連結されたマイクロ水ポンプが設けられ、前記マイクロ水ポンプの右側端壁には前記ソーラーパネルと通電できるように連結された冷却モジュールが固定的に設けられ、前記冷却モジュールの中には前記マイクロ水ポンプを連通した第一毛細管が設けられ、前記マイクロ水ポンプが冷却液を吸い取って前記第一毛細管の中に送り、前記冷却モジュールが前記第一毛細管の中の冷却液を冷却し、且つ冷却液を循環させ、
前記貯蔵チャンバの外側端壁には外方に開口した環状凹溝が設けられ、前記環状凹溝と前記円盤との間にはノブ機構が設けられ、前記ノブ機構は冷却循環部品を始動することによって冷却液を循環させることができ、
前記第一毛細管の底壁には気体チャンバが設けられ、前記気体チャンバの中には毛細管の中に残された冷却液を押し出すことができる排水機構が設けられ、前記気体チャンバが前記第一毛細管を連通しており、且つ前記気体チャンバと前記第一毛細管とには排気孔が連通するように設けられ、前記排気孔の中には第一逆止弁が設けられ、前記頂蓋を前記台座の中から抜き出す時、空気が前記第一逆止弁と前記排気孔とを経由して前記第一毛細管の中に押され、前記第一毛細管の中に残された冷却液が排出され、
前記排水機構の前後端壁の間にはバランス機構が設けられている。
【０００７】
更の技術プラン、前記太陽光蓋板機構は前記頂蓋を含み、前記頂蓋の左右端壁の中には内に開口した凹溝が設けられ、前記凹溝の頂壁には上下に貫通した第一スライド孔が設けられ、前記第一スライド孔の中には前記半円蓋板を押すことができる斜面スライドロッドがスライドできるように設けられ、前記半円蓋板と前記頂蓋の頂面との間には第一バネが連結され、前記第一スライド孔の外側端壁には第二スライド孔が連通するように設けられ、前記第二スライド孔の中には前記斜面スライドロッドと固定的に連結された第一スライドブロックがスライドできるように設けられ、前記第一スライドブロックと前記第二スライド孔の頂壁との間には第二バネが連結されている。
【０００８】
更の技術プラン、前記冷却循環部品は前記マイクロ水ポンプを含み、前記マイクロ水ポンプの底壁には下方に開口した第一挿し口が連通するように設けられ、前記第一毛細管の右端壁には下方に開口した第二挿し口が連通するように設けられ、前記貯蔵チャンバの底壁には熱伝導金属が固定的に設けられ、前記熱伝導金属の左右端壁には上方に開口した水チャンバが固定的に設けられ、二つの前記水チャンバの間には第二毛細管が連通するように設けられ、前記水チャンバの中には導管を取り付けることができ、前記熱伝導金属の左側の前記導管を前記第一挿し口の中に挿すことができ、前記熱伝導金属の右側の前記導管を前記第二挿し口の中に挿すことができる。
【０００９】
更の技術プラン、前記水チャンバの前後端壁にはスライド溝が連通するように設けられ、前記スライド溝の中には仕切り板がスライドできるように設けられ、前記仕切り板と前記スライド溝の外側端壁との間には第三バネが連結されている。
【００１０】
更の技術プラン、前記ノブ機構は前記環状凹溝を含み、前記環状凹溝の中には第二スライドブロックが左右に対称的にスライドできるように設けられ、前記第二スライドブロックの中には外方に開口した第三スライド孔が設けられ、前記第三スライド孔の中には前記凹溝の中に伸びることができるバックルはスライドできるように設けられ、前記バックルと前記第三スライド孔の内側端壁との間には第四バネが連結され、前記円盤の左端面には前記マイクロ水ポンプと通電できるように連結されたスイッチが固定的に設けられ、前記空きチャンバの後側端壁には前記スイッチを押すことができる押しブロックが固定的に設けられている。
【００１１】
更の技術プラン、前記排水機構はピストンを含み、前記ピストンと前記気体チャンバの頂壁との間には第五バネが連結され、前記気体チャンバの後端壁には上方に開口した吸気管が連通するように設けられ、前記吸気管の中には第二逆止弁が固定的に設けられている。
【００１２】
更の技術プラン、前記気体チャンバの前端壁には下方に開口した第四スライド孔が設けられ、前記第四スライド孔と前記空気チャンバとの間には第二回転軸が回転できるように設けられ、前記第四スライド孔の中の前記第二回転軸には歯車が固定的に設けられ、前記第四スライド孔の中には前記歯車と噛合したラックがスライドできるように設けられ、前記ラックと前記第四スライド孔の頂壁との間には第六バネが連結され、前記気体チャンバの中の前記第二回転軸の中には後方に開口した抜き穴が設けられている。
【００１３】
更の技術プラン、前記気体チャンバの後側端壁の中には下方に開口した第五スライド孔が設けられ、前記第五スライド孔の中にはスライドロッドがスライドできるように設けられ、前記スライドロッドと前記第五スライド孔の頂壁との間には第七バネが連結され、前記気体チャンバと前記第五スライド孔との間には第三回転軸が回転できるように設けられ、前記気体チャンバの中の前記第三回転軸には前記ピストンと当接したカムが固定的に設けられ、前記第三回転軸の中には左右に貫通した第六スライド孔が設けられ、前記第六スライド孔の中には前記抜き穴に伸びることができる位置制限ロッドがスライドできるように設けられ、前記位置制限ロッドと前記スライドロッドとの間には液圧液が伝動できるように設けられている。
【発明の効果】
【００１４】
本発明の装置は太陽光発電によって水冷循環を行い、物品を冷凍保存でき、太陽光発電はエコであり、普段装置を使わない時に自動的にソーラーパネルを保護でき、安全で頼もしく、同時、装置の水冷循環は反応が素早く、熱量の伝達効率が良く、冷凍効果が抜群であり、冷凍完了後、装置は冷却モジュールの中に残された冷却液を自動的に排出でき、長時間に使用しても水冷循環においての毛細管は塞がることなく、使用寿命は長いのであり、また、使用方法が簡単で明確であり、装置内部の導管と冷却液とは自在に取り替えられ、メンテナンスのコストが低く、実用性が強い。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の構成略図
【図２】図２は図１のＡ―Ａの構成略図
【図３】図３は図１のＢ―Ｂの構成略図
【図４】図４は図１のＣ―Ｃの構成略図
【図５】図５は図１の上面図
【図６】図６は図１のＤの拡大構成略図
【発明を実施するための形態】
【００１７】
図１〜６を合わせ、本発明の太陽光発電を基礎とした環境保護型貯蔵箱は、台座１６を含み、前記台座１６の中には上方に開口した貯蔵チャンバ１９が設けられ、前記台座１６の外側には頂蓋１５を取り付けることができ、前記頂蓋１５の中には下方に開口した空きチャンバ１０が設けられ、
前記頂蓋１５の左右端壁の中にはソーラーパネル５７が対称的に設けられ、前記ソーラーパネル５７の上方には半円蓋板６４が設けられ、前記半円蓋板６４と前記頂蓋１５との間にはヒンジ軸６３がヒンジによって連結され、前記ソーラーパネル５７の外側端壁には太陽光蓋板機構９０が設けられ、前記太陽光蓋板機構９０が前記半円蓋板６４を押し開けることにより、前記ソーラーパネル５７が光を受けて発電でき、
前記空きチャンバ１０の頂壁には下方に伸びた第一回転軸２４が回転できるように設けられ、前記第一回転軸２４の底端には円盤１４が固定的に設けられ、前記円盤１４と前記空きチャンバ１０の頂壁との間にはトーションバネ２３が連結され、
前記円盤１４と前記貯蔵チャンバ１９との間には冷却液循環を行うことによって貯蔵された物を冷却し鮮度を保持する冷却循環部品９３が設けられ、前記円盤１４の中には前記ソーラーパネル５７と通電できるように連結されたマイクロ水ポンプ１２が設けられ、前記マイクロ水ポンプ１２の右側端壁には前記ソーラーパネル５７と通電できるように連結された冷却モジュール２２が固定的に設けられ、前記冷却モジュール２２の中には前記マイクロ水ポンプ１２を連通した第一毛細管２１が設けられ、前記マイクロ水ポンプ１２が冷却液を吸い取って前記第一毛細管２１の中に送り、前記冷却モジュール２２が前記第一毛細管２１の中の冷却液を冷却し、且つ冷却液を循環させ、
前記貯蔵チャンバ１９の外側端壁には外方に開口した環状凹溝４７が設けられ、前記環状凹溝４７と前記円盤１４との間にはノブ機構９２が設けられ、前記ノブ機構９２は冷却循環部品９３を始動することによって冷却液を循環させることができ、
前記第一毛細管２１の底壁には気体チャンバ３７が設けられ、前記気体チャンバ３７の中には毛細管の中に残された冷却液を押し出すことができる排水機構９１が設けられ、前記気体チャンバ３７が前記第一毛細管２１を連通しており、且つ前記気体チャンバ３７と前記第一毛細管２１とには排気孔４６が連通するように設けられ、前記排気孔４６の中には第一逆止弁４５が設けられ、前記頂蓋１５を前記台座１６の中から抜き出す時、空気が前記第一逆止弁４５と前記排気孔４６とを経由して前記第一毛細管２１の中に押され、前記第一毛細管２１の中に残された冷却液が排出され、
前記排水機構９１の前後端壁の間にはバランス機構９４が設けられ、前記バランス機構９４は排水機構９１が傾いて液を漏らすことを防げる。
【００１８】
前記太陽光蓋板機構９０は前記頂蓋１５を含み、前記頂蓋１５の左右端壁の中には内に開口した凹溝１７が設けられ、前記凹溝１７の頂壁には上下に貫通した第一スライド孔５８が設けられ、前記第一スライド孔５８の中には前記半円蓋板６４を押すことができる斜面スライドロッド５９がスライドできるように設けられ、前記半円蓋板６４と前記頂蓋１５の頂面との間には第一バネ５６が連結され、前記第一スライド孔５８の外側端壁には第二スライド孔６１が連通するように設けられ、前記第二スライド孔６１の中には前記斜面スライドロッド５９と固定的に連結された第一スライドブロック６０がスライドできるように設けられ、前記第一スライドブロック６０と前記第二スライド孔６１の頂壁との間には第二バネ６２が連結され、前記斜面スライドロッド５９が押されて上へスライドする時、前記斜面スライドロッド５９が前記半円蓋板６４を押し開け、前記斜面スライドロッド５９が押されない時、前記半円蓋板６４が前記第一バネ５６の張力の元で前記ソーラーパネル５７を覆い、埃が積もることを防ぐ。
【００１９】
前記冷却循環部品９３は前記マイクロ水ポンプ１２を含み、前記マイクロ水ポンプ１２の底壁には下方に開口した第一挿し口１３が連通するように設けられ、前記第一毛細管２１の右端壁には下方に開口した第二挿し口２０が連通するように設けられ、前記貯蔵チャンバ１９の底壁には熱伝導金属６７が固定的に設けられ、前記熱伝導金属６７の左右端壁には上方に開口した水チャンバ６５が固定的に設けられ、二つの前記水チャンバ６５の間には第二毛細管６６が連通するように設けられ、前記水チャンバ６５の中には導管１８を取り付けることができ、前記熱伝導金属６７の左側の前記導管１８を前記第一挿し口１３の中に挿すことができ、前記熱伝導金属６７の右側の前記導管１８を前記第二挿し口２０の中に挿すことができる。
【００２０】
前記水チャンバ６５の前後端壁にはスライド溝５５が連通するように設けられ、前記スライド溝５５の中には仕切り板５３がスライドできるように設けられ、前記仕切り板５３と前記スライド溝５５の外側端壁との間には第三バネ５４が連結され、前記導管１８が前記仕切り板５３を押し開けて前記水チャンバ６５の中に挿入された時、前記導管１８が前記水チャンバ６５に連通するようになり、前記円盤１４が下方へスライドし、二つの前記導管１８をそれぞれ前記第一挿し口１３と前記第二挿し口２０との中に挿した後、前記第一挿し口１３と、前記マイクロ水ポンプ１２と、前記第一毛細管２１と、前記第二挿し口２０と、前記導管１８と、前記水チャンバ６５と、前記第二毛細管６６との間に循環回路が形成され、前記第二毛細管６６が熱を伝達することにより、循環回路の中の冷却液が冷凍と鮮度保持との効果を果たす。
【００２１】
前記ノブ機構９２は前記環状凹溝４７を含み、前記環状凹溝４７の中には第二スライドブロック４９が左右に対称的にスライドできるように設けられ、前記第二スライドブロック４９の中には外方に開口した第三スライド孔５２が設けられ、前記第三スライド孔５２の中には前記凹溝１７の中に伸びることができるバックル５０はスライドできるように設けられ、前記バックル５０と前記第三スライド孔５２の内側端壁との間には第四バネ５１が連結され、前記円盤１４の左端面には前記マイクロ水ポンプ１２と通電できるように連結されたスイッチ１１が固定的に設けられ、前記空きチャンバ１０の後側端壁には前記スイッチ１１を押すことができる押しブロック２７が固定的に設けられ、前記頂蓋１５が下にスライドした後、前記バックル５０が前記凹溝１７に伸びて前記頂蓋１５の上下のスライドを制限し、前記第二スライドブロック４９が回転可能であるため、前記頂蓋１５の水平方向での回転が制限されなく、前記頂蓋１５が回転し前記押しブロック２７を連動させ、前記押しブロック２７が九十度回転した後に前記スイッチ１１を押し、前記スイッチ１１が押されて前記マイクロ水ポンプ１２を通電させて作動させる。
【００２２】
前記排水機構９１はピストン３６を含み、前記ピストン３６と前記気体チャンバ３７の頂壁との間には第五バネ３５が連結され、前記気体チャンバ３７の後端壁には上方に開口した吸気管２６が連通するように設けられ、前記吸気管２６の中には第二逆止弁２８が固定的に設けられ、前記ピストン３６が下へスライドする時に前記吸気管２６によって空気を吸い込み、前記ピストン３６が上へスライドする時、前記排気孔４６によって空気を排出する。
【００２３】
前記気体チャンバ３７の前端壁には下方に開口した第四スライド孔６８が設けられ、前記第四スライド孔６８と前記空気チャンバ３７との間には第二回転軸４１が回転できるように設けられ、前記第四スライド孔６８の中の前記第二回転軸４１には歯車４３が固定的に設けられ、前記第四スライド孔６８の中には前記歯車４３と噛合したラック４２がスライドできるように設けられ、前記ラック４２と前記第四スライド孔６８の頂壁との間には第六バネ４４が連結され、前記気体チャンバ３７の中の前記第二回転軸４１の中には後方に開口した抜き穴４０が設けられている。
【００２４】
前記気体チャンバ３７の後側端壁の中には下方に開口した第五スライド孔２９が設けられ、前記第五スライド孔２９の中にはスライドロッド３２がスライドできるように設けられ、前記スライドロッド３２と前記第五スライド孔２９の頂壁との間には第七バネ３０が連結され、前記気体チャンバ３７と前記第五スライド孔２９との間には第三回転軸３３が回転できるように設けられ、前記気体チャンバ３７の中の前記第三回転軸３３には前記ピストン３６と当接したカム３８が固定的に設けられ、前記第三回転軸３３の中には左右に貫通した第六スライド孔３４が設けられ、前記第六スライド孔３４の中には前記抜き穴４０に伸びることができる位置制限ロッド３９がスライドできるように設けられ、前記位置制限ロッド３９と前記スライドロッド３２との間には液圧液３１が伝動できるように設けられ、前記頂蓋１５を取り付ける時、前記スライドロッド３２と前記ラック４２とが前記台座１６の頂面と接触し、前記頂蓋１５が安定に取り付けられる。
【００２５】
装置全体の機械の作動順序は以下の通り：
【００２６】
１：まず前記導管１８を前記水チャンバ６５の中に挿し、冷蔵鮮度保持必要のある物を前記熱伝導金属６７の頂面に置き、そして前記頂蓋１５を前記台座１６に覆い、
２：前記頂蓋１５を下へ押し、前記頂蓋１５が下へスライドした後前記バックル５０を前記凹溝１７の中に伸ばし、二つの前記導管１８がそれぞれ前記第一挿し口１３と前記第二挿し口２０との中に伸び、前記第一挿し口１３と、前記マイクロ水ポンプ１２と、前記第一毛細管２１と、前記第二挿し口２０と、前記導管１８と、前記水チャンバ６５と、前記第二毛細管６６との間に循環回路が形成され、
３：同時に前記バックル５０が前記斜面スライドロッド５９を押し、前記斜面スライドロッド５９が上へスライドし前記半円蓋板６４を押し、前記半円蓋板６４が前記ヒンジ軸６３を中心に回転し、前記ソーラーパネル５７が遮蔽されなくなり、この時前記ソーラーパネル５７が太陽光を受けて発電でき、装置が使用される時に自動的に蓋を開け、使用されない時に自動的にソーラーパネル５７を保護し、自動化程度が高く、
４：同時に、前記頂蓋１５が前記円盤１４を下へスライド連動させ、前記円盤１４が下へスライドした後に前記台座１６の頂面に前記スライドロッド３２と前記ラック４２とを押させ、前記スライドロッド３２が上へスライドし前記液圧液３１を押し、前記液圧液３１が前記位置制限ロッド３９を連動させ前記抜き穴４０の中に伸びさせ、この時前記第二回転軸４１は前記第三回転軸３３を回転連動させることができ、同時に前記ラック４２が上へスライドし前記歯車４３を回転連動させ、前記歯車４３が前記第二回転軸４１を回転連動させ、前記第二回転軸４１が前記第三回転軸３３を回転連動させ、前記第三回転軸３３が前記カム３８を回転連動させ、前記ピストン３６が前記第五バネ３５の作用により下へスライドし、この時前記吸気管２６によって前記ピストン３６が空気を吸い込んで前記気体チャンバ３７の中に入れ、
５：そして前記頂蓋１５を回転させ、二つの前記導管１８がそれぞれ前記第一挿し口１３と前記第二挿し口２０との中に伸びているため、この時円盤１４が回転しなく、前記頂蓋１５が回転した後前記押しブロック２７を九十度回転連動させ、前記スイッチ１１を押し、前記スイッチ１１が前記マイクロ水ポンプ１２と前記冷却モジュール２２とを始動し、前記マイクロ水ポンプ１２が前記水チャンバ６５の中の冷却液を前記第一毛細管２１の中に吸い込み、前記冷却モジュール２２が前記第一毛細管２１の中の冷却液を冷却し、冷却液は冷却循環することで前記熱伝導金属６７が伝達した熱量を消し、これによって食べ物を冷凍し鮮度を保持でき、
６：冷蔵鮮度保持の物を取り出す時、前記頂蓋１５を逆方向へ回転させ、これによって前記押しブロック２７が前記スイッチ１１を押さなくなり、この時前記冷却循環部品９３が冷却を止め、装置は操作が簡単で、反応が速く、そして前記頂蓋１５を前記台座１６から抜き出し、前記頂蓋１５が上へスライドした時、前記ラック４２が前記第六バネ４４の弾力により初期位置に戻り、すなわち前記カム３８が回転し前記ピストン３６を押し、前記気体チャンバ３７の中の空気が前記排気孔４６を経由して前記第一毛細管２１の中に押され、前記第一毛細管２１の中の冷却液が空気に押された後に前記導管１８を経由して前記水チャンバ６５の中に戻り、装置が冷凍を完成した後に前記冷却モジュール２２の中に冷却液が残されなく、装置を長時間に使用しても前記第一毛細管２１を塞がなく、使用寿命が長く、また、前記水チャンバ６５の中の冷却液と前記導管１８とが取り替えられ、装置は適応性が高く、メンテナンスのコストが低い。
【００２７】
以上に述べたのはただ本発明の技術構想と特徴で、目的は本分野に詳しい技術者に本発明の内容をわからせて実施することができるようにすることである。本発明の保護範囲はここに限らないである。全部の創造的な労働を通じなく思いついた変化と取替は本発明の保護範囲にカバーされる。
【図１】
2020204450.tif 000003
【図２】
2020204450.tif 000004
【図３】
2020204450.tif 000005
【図４】
2020204450.tif 000006
【図５】
2020204450.tif 000007
【図６】
2020204450.tif 000008
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
正面視で、台座を含み、前記台座の中には上方に開口した貯蔵チャンバが設けられ、前記台座の外側には頂蓋を取り付けることができ、前記頂蓋の中には下方に開口した空きチャンバが設けられ、前記頂蓋の左右端壁の中にはソーラーパネルが対称的に設けられ、前記ソーラーパネルの上方には半円蓋板が設けられ、前記半円蓋板と前記頂蓋との間にはヒンジ軸がヒンジによって連結され、前記ソーラーパネルの外側端壁には太陽光蓋板機構が設けられ、前記太陽光蓋板機構が前記半円蓋板を押し開けることにより、前記ソーラーパネルが光を受けて発電でき、前記空きチャンバの頂壁には下方に伸びた第一回転軸が回転できるように設けられ、前記第一回転軸の底端には円盤が固定的に設けられ、前記円盤と前記空きチャンバの頂壁との間にはトーションバネが連結され、前記円盤と前記貯蔵チャンバとの間には冷却液循環を行うことによって貯蔵された物を冷却し鮮度を保持する冷却循環部品が設けられ、前記円盤の中には前記ソーラーパネルと通電できるように連結されたマイクロ水ポンプが設けられ、前記マイクロ水ポンプの右側端壁には前記ソーラーパネルと通電できるように連結された冷却モジュールが固定的に設けられ、前記冷却モジュールの中には前記マイクロ水ポンプを連通した第一毛細管が設けられ、前記マイクロ水ポンプが冷却液を吸い取って前記第一毛細管の中に送り、前記冷却モジュールが前記第一毛細管の中の冷却液を冷却し、且つ冷却液を循環させ、前記貯蔵チャンバの外側端壁には外方に開口した環状凹溝が設けられ、前記環状凹溝と前記円盤との間にはノブ機構が設けられ、前記ノブ機構は冷却循環部品を始動することによって冷却液を循環させることができ、前記第一毛細管の底壁には気体チャンバが設けられ、前記気体チャンバの中には毛細管の中に残された冷却液を押し出すことができる排水機構が設けられ、前記気体チャンバが前記第一毛細管を連通しており、且つ前記気体チャンバと前記第一毛細管とには排気孔が連通するように設けられ、前記排気孔の中には第一逆止弁が設けられ、前記頂蓋を前記台座の中から抜き出す時、空気が前記第一逆止弁と前記排気孔とを経由して前記第一毛細管の中に押され、前記第一毛細管の中に残された冷却液が排出され、前記排水機構の前後端壁の間にはバランス機構が設けられていることを特徴とする太陽光発電を基礎とした環境保護型貯蔵箱。
【請求項２】
前記太陽光蓋板機構は前記頂蓋を含み、前記頂蓋の左右端壁の中には内に開口した凹溝が設けられ、前記凹溝の頂壁には上下に貫通した第一スライド孔が設けられ、前記第一スライド孔の中には前記半円蓋板を押すことができる斜面スライドロッドがスライドできるように設けられ、前記半円蓋板と前記頂蓋の頂面との間には第一バネが連結され、前記第一スライド孔の外側端壁には第二スライド孔が連通するように設けられ、前記第二スライド孔の中には前記斜面スライドロッドと固定的に連結された第一スライドブロックがスライドできるように設けられ、前記第一スライドブロックと前記第二スライド孔の頂壁との間には第二バネが連結されていることを特徴とする請求項１に記載の太陽光発電を基礎とした環境保護型貯蔵箱。
【請求項３】
前記冷却循環部品は前記マイクロ水ポンプを含み、前記マイクロ水ポンプの底壁には下方に開口した第一挿し口が連通するように設けられ、前記第一毛細管の右端壁には下方に開口した第二挿し口が連通するように設けられ、前記貯蔵チャンバの底壁には熱伝導金属が固定的に設けられ、前記熱伝導金属の左右端壁には上方に開口した水チャンバが固定的に設けられ、二つの前記水チャンバの間には第二毛細管が連通するように設けられ、前記水チャンバの中には導管を取り付けることができ、前記熱伝導金属の左側の前記導管を前記第一挿し口の中に挿すことができ、前記熱伝導金属の右側の前記導管を前記第二挿し口の中に挿すことができることを特徴とする請求項１に記載の太陽光発電を基礎とした環境保護型貯蔵箱。
【請求項４】
前記水チャンバの前後端壁にはスライド溝が連通するように設けられ、前記スライド溝の中には仕切り板がスライドできるように設けられ、前記仕切り板と前記スライド溝の外側端壁との間には第三バネが連結されていることを特徴とする請求項３に記載の太陽光発電を基礎とした環境保護型貯蔵箱。
【請求項５】
前記ノブ機構は前記環状凹溝を含み、前記環状凹溝の中には第二スライドブロックが左右に対称的にスライドできるように設けられ、前記第二スライドブロックの中には外方に開口した第三スライド孔が設けられ、前記第三スライド孔の中には前記凹溝の中に伸びることができるバックルはスライドできるように設けられ、前記バックルと前記第三スライド孔の内側端壁との間には第四バネが連結され、前記円盤の左端面には前記マイクロ水ポンプと通電できるように連結されたスイッチが固定的に設けられ、前記空きチャンバの後側端壁には前記スイッチを押すことができる押しブロックが固定的に設けられていることを特徴とする請求項１に記載の太陽光発電を基礎とした環境保護型貯蔵箱。
【請求項６】
前記排水機構はピストンを含み、前記ピストンと前記気体チャンバの頂壁との間には第五バネが連結され、前記気体チャンバの後端壁には上方に開口した吸気管が連通するように設けられ、前記吸気管の中には第二逆止弁が固定的に設けられていることを特徴とする請求項１に記載の太陽光発電を基礎とした環境保護型貯蔵箱。
【請求項７】
前記気体チャンバの前端壁には下方に開口した第四スライド孔が設けられ、前記第四スライド孔と前記気体チャンバとの間には第二回転軸が回転できるように設けられ、前記第四スライド孔の中の前記第二回転軸には歯車が固定的に設けられ、前記第四スライド孔の中には前記歯車と噛合したラックがスライドできるように設けられ、前記ラックと前記第四スライド孔の頂壁との間には第六バネが連結され、前記気体チャンバの中の前記第二回転軸の中には後方に開口した抜き穴が設けられていることを特徴とする請求項６に記載の太陽光発電を基礎とした環境保護型貯蔵箱。
【請求項８】
前記気体チャンバの後側端壁の中には下方に開口した第五スライド孔が設けられ、前記第五スライド孔の中にはスライドロッドがスライドできるように設けられ、前記スライドロッドと前記第五スライド孔の頂壁との間には第七バネが連結され、前記気体チャンバと前記第五スライド孔との間には第三回転軸が回転できるように設けられ、前記気体チャンバの中の前記第三回転軸には前記ピストンと当接したカムが固定的に設けられ、前記第三回転軸の中には左右に貫通した第六スライド孔が設けられ、前記第六スライド孔の中には前記抜き穴に伸びることができる位置制限ロッドがスライドできるように設けられ、前記位置制限ロッドと前記スライドロッドとの間には液圧液が伝動できるように設けられていることを特徴とする請求項７に記載の太陽光発電を基礎とした環境保護型貯蔵箱。
【手続補正２】
【補正対象書類名】明細書
【補正対象項目名】全文
【補正方法】変更
【補正の内容】
【発明の詳細な説明】
【技術分野】
【０００１】
本発明は冷蔵鮮度保持分野を取り上げて、具体的には太陽光発電を基礎とした環境保護型貯蔵箱である。
【背景技術】
【０００２】
人々の生活水準の向上と飲食の質の飛躍とにつれ、キャンプなどのエンターテイメント活動の中で、人々はだんだん自分で新鮮な食物を持ってきて料理するようになり、このような時貯蔵箱で食物を冷蔵し鮮度を保持する必要があり、短距離野外炊事であれば、軽便な自転車や電動バイクを使うことが多いが、伝統的な貯蔵箱は食物を冷蔵する時に他に電源が必要とされ、電源が重くて占めた空間も大きく、出掛ける時に非常に不便であり、その他、伝統的な貯蔵箱の中の冷水循環用のパイプは密封のパイプが多く、冷却液を取り替えることができなく、また、時間が長く経つと、冷却モジュールの中に残された冷却液が粘着し塞ぎを起こしやすく、使用寿命が短くなり、従って、太陽光発電を基礎とした環境保護型貯蔵箱を設計し以上の問題を解決する必要がある。
【先行技術文献】
【特許文献】
【０００３】
【特許文献１】中国特許出願公開第１０８２０４６９９号明細書
【発明の概要】
【発明が解決しようとする課題】
【０００４】
本発明の目的は太陽光発電を基礎とした環境保護型貯蔵箱を提供し、それは上記の現在の技術中の問題を解決できる。
【課題を解決するための手段】
【０００５】
本発明は以下の技術プランを通じて実現する。
【０００６】
台座を含み、前記台座の中には上方に開口した貯蔵チャンバが設けられ、前記台座の外側には頂蓋を取り付けることができ、前記頂蓋の中には下方に開口した空きチャンバが設けられ、前記頂蓋の左右端壁の中にはソーラーパネルが対称的に設けられ、前記ソーラーパネルの上方には半円蓋板が設けられ、前記半円蓋板と前記頂蓋との間にはヒンジ軸がヒンジによって連結され、前記ソーラーパネルの外側端壁には太陽光蓋板機構が設けられ、前記太陽光蓋板機構が前記半円蓋板を押し開けることにより、前記ソーラーパネルが光を受けて発電でき、前記空きチャンバの頂壁には下方に伸びた第一回転軸が回転できるように設けられ、前記第一回転軸の底端には円盤が固定的に設けられ、前記円盤と前記空きチャンバの頂壁との間にはトーションバネが連結され、前記円盤と前記貯蔵チャンバとの間には冷却液循環を行うことによって貯蔵された物を冷却し鮮度を保持する冷却循環部品が設けられ、前記円盤の中には前記ソーラーパネルと通電できるように連結されたマイクロ水ポンプが設けられ、前記マイクロ水ポンプの右側端壁には前記ソーラーパネルと通電できるように連結された冷却モジュールが固定的に設けられ、前記冷却モジュールの中には前記マイクロ水ポンプを連通した第一毛細管が設けられ、前記マイクロ水ポンプが冷却液を吸い取って前記第一毛細管の中に送り、前記冷却モジュールが前記第一毛細管の中の冷却液を冷却し、且つ冷却液を循環させ、前記貯蔵チャンバの外側端壁には外方に開口した環状凹溝が設けられ、前記環状凹溝と前記円盤との間にはノブ機構が設けられ、前記ノブ機構は冷却循環部品を始動することによって冷却液を循環させることができ、前記第一毛細管の底壁には気体チャンバが設けられ、前記気体チャンバの中には毛細管の中に残された冷却液を押し出すことができる排水機構が設けられ、前記気体チャンバが前記第一毛細管を連通しており、且つ前記気体チャンバと前記第一毛細管とには排気孔が連通するように設けられ、前記排気孔の中には第一逆止弁が設けられ、前記頂蓋を前記台座の中から抜き出す時、空気が前記第一逆止弁と前記排気孔とを経由して前記第一毛細管の中に押され、前記第一毛細管の中に残された冷却液が排出され、前記排水機構の前後端壁の間にはバランス機構が設けられている。
【０００７】
更の技術プラン、前記太陽光蓋板機構は前記頂蓋を含み、前記頂蓋の左右端壁の中には内に開口した凹溝が設けられ、前記凹溝の頂壁には上下に貫通した第一スライド孔が設けられ、前記第一スライド孔の中には前記半円蓋板を押すことができる斜面スライドロッドがスライドできるように設けられ、前記半円蓋板と前記頂蓋の頂面との間には第一バネが連結され、前記第一スライド孔の外側端壁には第二スライド孔が連通するように設けられ、前記第二スライド孔の中には前記斜面スライドロッドと固定的に連結された第一スライドブロックがスライドできるように設けられ、前記第一スライドブロックと前記第二スライド孔の頂壁との間には第二バネが連結されている。
【０００８】
更の技術プラン、前記冷却循環部品は前記マイクロ水ポンプを含み、前記マイクロ水ポンプの底壁には下方に開口した第一挿し口が連通するように設けられ、前記第一毛細管の右端壁には下方に開口した第二挿し口が連通するように設けられ、前記貯蔵チャンバの底壁には熱伝導金属が固定的に設けられ、前記熱伝導金属の左右端壁には上方に開口した水チャンバが固定的に設けられ、二つの前記水チャンバの間には第二毛細管が連通するように設けられ、前記水チャンバの中には導管を取り付けることができ、前記熱伝導金属の左側の前記導管を前記第一挿し口の中に挿すことができ、前記熱伝導金属の右側の前記導管を前記第二挿し口の中に挿すことができる。
【０００９】
更の技術プラン、前記水チャンバの前後端壁にはスライド溝が連通するように設けられ、前記スライド溝の中には仕切り板がスライドできるように設けられ、前記仕切り板と前記スライド溝の外側端壁との間には第三バネが連結されている。
【００１０】
更の技術プラン、前記ノブ機構は前記環状凹溝を含み、前記環状凹溝の中には第二スライドブロックが左右に対称的にスライドできるように設けられ、前記第二スライドブロックの中には外方に開口した第三スライド孔が設けられ、前記第三スライド孔の中には前記凹溝の中に伸びることができるバックルはスライドできるように設けられ、前記バックルと前記第三スライド孔の内側端壁との間には第四バネが連結され、前記円盤の左端面には前記マイクロ水ポンプと通電できるように連結されたスイッチが固定的に設けられ、前記空きチャンバの後側端壁には前記スイッチを押すことができる押しブロックが固定的に設けられている。
【００１１】
更の技術プラン、前記排水機構はピストンを含み、前記ピストンと前記気体チャンバの頂壁との間には第五バネが連結され、前記気体チャンバの後端壁には上方に開口した吸気管が連通するように設けられ、前記吸気管の中には第二逆止弁が固定的に設けられている。
【００１２】
更の技術プラン、前記気体チャンバの前端壁には下方に開口した第四スライド孔が設けられ、前記第四スライド孔と前記気体チャンバとの間には第二回転軸が回転できるように設けられ、前記第四スライド孔の中の前記第二回転軸には歯車が固定的に設けられ、前記第四スライド孔の中には前記歯車と噛合したラックがスライドできるように設けられ、前記ラックと前記第四スライド孔の頂壁との間には第六バネが連結され、前記気体チャンバの中の前記第二回転軸の中には後方に開口した抜き穴が設けられている。
【００１３】
更の技術プラン、前記気体チャンバの後側端壁の中には下方に開口した第五スライド孔が設けられ、前記第五スライド孔の中にはスライドロッドがスライドできるように設けられ、前記スライドロッドと前記第五スライド孔の頂壁との間には第七バネが連結され、前記気体チャンバと前記第五スライド孔との間には第三回転軸が回転できるように設けられ、前記気体チャンバの中の前記第三回転軸には前記ピストンと当接したカムが固定的に設けられ、前記第三回転軸の中には左右に貫通した第六スライド孔が設けられ、前記第六スライド孔の中には前記抜き穴に伸びることができる位置制限ロッドがスライドできるように設けられ、前記位置制限ロッドと前記スライドロッドとの間には液圧液が伝動できるように設けられている。
【発明の効果】
【００１４】
本発明の装置は太陽光発電によって水冷循環を行い、物品を冷凍保存でき、太陽光発電はエコであり、普段装置を使わない時に自動的にソーラーパネルを保護でき、安全で頼もしく、同時、装置の水冷循環は反応が素早く、熱量の伝達効率が良く、冷凍効果が抜群であり、冷凍完了後、装置は冷却モジュールの中に残された冷却液を自動的に排出でき、長時間に使用しても水冷循環においての毛細管は塞がることなく、使用寿命は長いのであり、また、使用方法が簡単で明確であり、装置内部の導管と冷却液とは自在に取り替えられ、メンテナンスのコストが低く、実用性が強い。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の構成略図
【図２】図２は図１のＡ―Ａの構成略図
【図３】図３は図１のＢ―Ｂの構成略図
【図４】図４は図１のＣ―Ｃの構成略図
【図５】図５は図１の上面図
【図６】図６は図１のＤの拡大構成略図
【発明を実施するための形態】
【００１７】
図１〜６を合わせ、本発明の太陽光発電を基礎とした環境保護型貯蔵箱は、台座１６を含み、前記台座１６の中には上方に開口した貯蔵チャンバ１９が設けられ、前記台座１６の外側には頂蓋１５を取り付けることができ、前記頂蓋１５の中には下方に開口した空きチャンバ１０が設けられ、前記頂蓋１５の左右端壁の中にはソーラーパネル５７が対称的に設けられ、前記ソーラーパネル５７の上方には半円蓋板６４が設けられ、前記半円蓋板６４と前記頂蓋１５との間にはヒンジ軸６３がヒンジによって連結され、前記ソーラーパネル５７の外側端壁には太陽光蓋板機構９０が設けられ、前記太陽光蓋板機構９０が前記半円蓋板６４を押し開けることにより、前記ソーラーパネル５７が光を受けて発電でき、前記空きチャンバ１０の頂壁には下方に伸びた第一回転軸２４が回転できるように設けられ、前記第一回転軸２４の底端には円盤１４が固定的に設けられ、前記円盤１４と前記空きチャンバ１０の頂壁との間にはトーションバネ２３が連結され、前記円盤１４と前記貯蔵チャンバ１９との間には冷却液循環を行うことによって貯蔵された物を冷却し鮮度を保持する冷却循環部品９３が設けられ、前記円盤１４の中には前記ソーラーパネル５７と通電できるように連結されたマイクロ水ポンプ１２が設けられ、前記マイクロ水ポンプ１２の右側端壁には前記ソーラーパネル５７と通電できるように連結された冷却モジュール２２が固定的に設けられ、前記冷却モジュール２２の中には前記マイクロ水ポンプ１２を連通した第一毛細管２１が設けられ、前記マイクロ水ポンプ１２が冷却液を吸い取って前記第一毛細管２１の中に送り、前記冷却モジュール２２が前記第一毛細管２１の中の冷却液を冷却し、且つ冷却液を循環させ、前記貯蔵チャンバ１９の外側端壁には外方に開口した環状凹溝４７が設けられ、前記環状凹溝４７と前記円盤１４との間にはノブ機構９２が設けられ、前記ノブ機構９２は冷却循環部品９３を始動することによって冷却液を循環させることができ、前記第一毛細管２１の底壁には気体チャンバ３７が設けられ、前記気体チャンバ３７の中には毛細管の中に残された冷却液を押し出すことができる排水機構９１が設けられ、前記気体チャンバ３７が前記第一毛細管２１を連通しており、且つ前記気体チャンバ３７と前記第一毛細管２１とには排気孔４６が連通するように設けられ、前記排気孔４６の中には第一逆止弁４５が設けられ、前記頂蓋１５を前記台座１６の中から抜き出す時、空気が前記第一逆止弁４５と前記排気孔４６とを経由して前記第一毛細管２１の中に押され、前記第一毛細管２１の中に残された冷却液が排出され、前記排水機構９１の前後端壁の間にはバランス機構９４が設けられ、前記バランス機構９４は排水機構９１が傾いて液を漏らすことを防げる。
【００１８】
前記太陽光蓋板機構９０は前記頂蓋１５を含み、前記頂蓋１５の左右端壁の中には内に開口した凹溝１７が設けられ、前記凹溝１７の頂壁には上下に貫通した第一スライド孔５８が設けられ、前記第一スライド孔５８の中には前記半円蓋板６４を押すことができる斜面スライドロッド５９がスライドできるように設けられ、前記半円蓋板６４と前記頂蓋１５の頂面との間には第一バネ５６が連結され、前記第一スライド孔５８の外側端壁には第二スライド孔６１が連通するように設けられ、前記第二スライド孔６１の中には前記斜面スライドロッド５９と固定的に連結された第一スライドブロック６０がスライドできるように設けられ、前記第一スライドブロック６０と前記第二スライド孔６１の頂壁との間には第二バネ６２が連結され、前記斜面スライドロッド５９が押されて上へスライドする時、前記斜面スライドロッド５９が前記半円蓋板６４を押し開け、前記斜面スライドロッド５９が押されない時、前記半円蓋板６４が前記第一バネ５６の張力の元で前記ソーラーパネル５７を覆い、埃が積もることを防ぐ。
【００１９】
前記冷却循環部品９３は前記マイクロ水ポンプ１２を含み、前記マイクロ水ポンプ１２の底壁には下方に開口した第一挿し口１３が連通するように設けられ、前記第一毛細管２１の右端壁には下方に開口した第二挿し口２０が連通するように設けられ、前記貯蔵チャンバ１９の底壁には熱伝導金属６７が固定的に設けられ、前記熱伝導金属６７の左右端壁には上方に開口した水チャンバ６５が固定的に設けられ、二つの前記水チャンバ６５の間には第二毛細管６６が連通するように設けられ、前記水チャンバ６５の中には導管１８を取り付けることができ、前記熱伝導金属６７の左側の前記導管１８を前記第一挿し口１３の中に挿すことができ、前記熱伝導金属６７の右側の前記導管１８を前記第二挿し口２０の中に挿すことができる。
【００２０】
前記水チャンバ６５の前後端壁にはスライド溝５５が連通するように設けられ、前記スライド溝５５の中には仕切り板５３がスライドできるように設けられ、前記仕切り板５３と前記スライド溝５５の外側端壁との間には第三バネ５４が連結され、前記導管１８が前記仕切り板５３を押し開けて前記水チャンバ６５の中に挿入された時、前記導管１８が前記水チャンバ６５に連通するようになり、前記円盤１４が下方へスライドし、二つの前記導管１８をそれぞれ前記第一挿し口１３と前記第二挿し口２０との中に挿した後、前記第一挿し口１３と、前記マイクロ水ポンプ１２と、前記第一毛細管２１と、前記第二挿し口２０と、前記導管１８と、前記水チャンバ６５と、前記第二毛細管６６との間に循環回路が形成され、前記第二毛細管６６が熱を伝達することにより、循環回路の中の冷却液が冷凍と鮮度保持との効果を果たす。
【００２１】
前記ノブ機構９２は前記環状凹溝４７を含み、前記環状凹溝４７の中には第二スライドブロック４９が左右に対称的にスライドできるように設けられ、前記第二スライドブロック４９の中には外方に開口した第三スライド孔５２が設けられ、前記第三スライド孔５２の中には前記凹溝１７の中に伸びることができるバックル５０はスライドできるように設けられ、前記バックル５０と前記第三スライド孔５２の内側端壁との間には第四バネ５１が連結され、前記円盤１４の左端面には前記マイクロ水ポンプ１２と通電できるように連結されたスイッチ１１が固定的に設けられ、前記空きチャンバ１０の後側端壁には前記スイッチ１１を押すことができる押しブロック２７が固定的に設けられ、前記頂蓋１５が下にスライドした後、前記バックル５０が前記凹溝１７に伸びて前記頂蓋１５の上下のスライドを制限し、前記第二スライドブロック４９が回転可能であるため、前記頂蓋１５の水平方向での回転が制限されなく、前記頂蓋１５が回転し前記押しブロック２７を連動させ、前記押しブロック２７が九十度回転した後に前記スイッチ１１を押し、前記スイッチ１１が押されて前記マイクロ水ポンプ１２を通電させて作動させる。
【００２２】
前記排水機構９１はピストン３６を含み、前記ピストン３６と前記気体チャンバ３７の頂壁との間には第五バネ３５が連結され、前記気体チャンバ３７の後端壁には上方に開口した吸気管２６が連通するように設けられ、前記吸気管２６の中には第二逆止弁２８が固定的に設けられ、前記ピストン３６が下へスライドする時に前記吸気管２６によって空気を吸い込み、前記ピストン３６が上へスライドする時、前記排気孔４６によって空気を排出する。
【００２３】
前記気体チャンバ３７の前端壁には下方に開口した第四スライド孔６８が設けられ、前記第四スライド孔６８と前記気体チャンバ３７との間には第二回転軸４１が回転できるように設けられ、前記第四スライド孔６８の中の前記第二回転軸４１には歯車４３が固定的に設けられ、前記第四スライド孔６８の中には前記歯車４３と噛合したラック４２がスライドできるように設けられ、前記ラック４２と前記第四スライド孔６８の頂壁との間には第六バネ４４が連結され、前記気体チャンバ３７の中の前記第二回転軸４１の中には後方に開口した抜き穴４０が設けられている。
【００２４】
前記気体チャンバ３７の後側端壁の中には下方に開口した第五スライド孔２９が設けられ、前記第五スライド孔２９の中にはスライドロッド３２がスライドできるように設けられ、前記スライドロッド３２と前記第五スライド孔２９の頂壁との間には第七バネ３０が連結され、前記気体チャンバ３７と前記第五スライド孔２９との間には第三回転軸３３が回転できるように設けられ、前記気体チャンバ３７の中の前記第三回転軸３３には前記ピストン３６と当接したカム３８が固定的に設けられ、前記第三回転軸３３の中には左右に貫通した第六スライド孔３４が設けられ、前記第六スライド孔３４の中には前記抜き穴４０に伸びることができる位置制限ロッド３９がスライドできるように設けられ、前記位置制限ロッド３９と前記スライドロッド３２との間には液圧液３１が伝動できるように設けられ、前記頂蓋１５を取り付ける時、前記スライドロッド３２と前記ラック４２とが前記台座１６の頂面と接触し、前記頂蓋１５が安定に取り付けられる。
【００２５】
装置全体の機械の作動順序は以下の通り：
【００２６】
１：まず前記導管１８を前記水チャンバ６５の中に挿し、冷蔵鮮度保持必要のある物を前記熱伝導金属６７の頂面に置き、そして前記頂蓋１５を前記台座１６に覆い、
２：前記頂蓋１５を下へ押し、前記頂蓋１５が下へスライドした後前記バックル５０を前記凹溝１７の中に伸ばし、二つの前記導管１８がそれぞれ前記第一挿し口１３と前記第二挿し口２０との中に伸び、前記第一挿し口１３と、前記マイクロ水ポンプ１２と、前記第一毛細管２１と、前記第二挿し口２０と、前記導管１８と、前記水チャンバ６５と、前記第二毛細管６６との間に循環回路が形成され、
３：同時に前記バックル５０が前記斜面スライドロッド５９を押し、前記斜面スライドロッド５９が上へスライドし前記半円蓋板６４を押し、前記半円蓋板６４が前記ヒンジ軸６３を中心に回転し、前記ソーラーパネル５７が遮蔽されなくなり、この時前記ソーラーパネル５７が太陽光を受けて発電でき、装置が使用される時に自動的に蓋を開け、使用されない時に自動的にソーラーパネル５７を保護し、自動化程度が高く、
４：同時に、前記頂蓋１５が前記円盤１４を下へスライド連動させ、前記円盤１４が下へスライドした後に前記台座１６の頂面に前記スライドロッド３２と前記ラック４２とを押させ、前記スライドロッド３２が上へスライドし前記液圧液３１を押し、前記液圧液３１が前記位置制限ロッド３９を連動させ前記抜き穴４０の中に伸びさせ、この時前記第二回転軸４１は前記第三回転軸３３を回転連動させることができ、同時に前記ラック４２が上へスライドし前記歯車４３を回転連動させ、前記歯車４３が前記第二回転軸４１を回転連動させ、前記第二回転軸４１が前記第三回転軸３３を回転連動させ、前記第三回転軸３３が前記カム３８を回転連動させ、前記ピストン３６が前記第五バネ３５の作用により下へスライドし、この時前記吸気管２６によって前記ピストン３６が空気を吸い込んで前記気体チャンバ３７の中に入れ、
５：そして前記頂蓋１５を回転させ、二つの前記導管１８がそれぞれ前記第一挿し口１３と前記第二挿し口２０との中に伸びているため、この時円盤１４が回転しなく、前記頂蓋１５が回転した後前記押しブロック２７を九十度回転連動させ、前記スイッチ１１を押し、前記スイッチ１１が前記マイクロ水ポンプ１２と前記冷却モジュール２２とを始動し、前記マイクロ水ポンプ１２が前記水チャンバ６５の中の冷却液を前記第一毛細管２１の中に吸い込み、前記冷却モジュール２２が前記第一毛細管２１の中の冷却液を冷却し、冷却液は冷却循環することで前記熱伝導金属６７が伝達した熱量を消し、これによって食べ物を冷凍し鮮度を保持でき、
６：冷蔵鮮度保持の物を取り出す時、前記頂蓋１５を逆方向へ回転させ、これによって前記押しブロック２７が前記スイッチ１１を押さなくなり、この時前記冷却循環部品９３が冷却を止め、装置は操作が簡単で、反応が速く、そして前記頂蓋１５を前記台座１６から抜き出し、前記頂蓋１５が上へスライドした時、前記ラック４２が前記第六バネ４４の弾力により初期位置に戻り、すなわち前記カム３８が回転し前記ピストン３６を押し、前記気体チャンバ３７の中の空気が前記排気孔４６を経由して前記第一毛細管２１の中に押され、前記第一毛細管２１の中の冷却液が空気に押された後に前記導管１８を経由して前記水チャンバ６５の中に戻り、装置が冷凍を完成した後に前記冷却モジュール２２の中に冷却液が残されなく、装置を長時間に使用しても前記第一毛細管２１を塞がなく、使用寿命が長く、また、前記水チャンバ６５の中の冷却液と前記導管１８とが取り替えられ、装置は適応性が高く、メンテナンスのコストが低い。
【００２７】
以上に述べたのはただ本発明の技術構想と特徴で、目的は本分野に詳しい技術者に本発明の内容をわからせて実施することができるようにすることである。本発明の保護範囲はここに限らないである。全部の創造的な労働を通じなく思いついた変化と取替は本発明の保護範囲にカバーされる。